【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
入射光束を波長帯域の異なる複数の光束に色分解して射出する複数のプリズムを有する色分解光学系であって、
該複数のプリズムのうちいずれか１つのプリズムは光路中に合焦用の光束を分割するための光分割面を有し、
該合焦用の光束が射出されるプリズム面と該合焦用の光束が導光される撮像素子との間に、前記光分割面から前記撮像素子に至る光路長を複数異ならせて該撮像素子上に像を形成する光学手段が設けられていることを特徴とする色分解光学系。
【請求項２】
前記光学手段は前記合焦用の光束を分割する複数の光分割面を有し、該光分割面により分割された合焦用の各光束間で前記光路長を互いに異ならせることを特徴とする請求項１に記載の色分解光学系。
【請求項３】
前記光学手段は、互いに光路長が異なる複数の光学部材と、該複数の光学部材のうちいずれか１つを光路中に位置させる駆動部とを有していることを特徴とする請求項１に記載の色分解光学系。
【請求項４】
前記合焦用の光束は、緑色光を含む可視波長域の光束であることを特徴とする請求項１乃至３のいずれか１項に記載の色分解光学系。
【請求項５】
前記合焦用の光束は、可視光以外の波長帯域を有する光束であることを特徴とする請求項１乃至３のいずれか１項に記載の色分解光学系。
【請求項６】
入射光束を波長帯域の異なる複数の光束に色分解して射出する複数のプリズムを有する色分解光学系であって、
該色分解光学系は可視光以外の波長帯域を有する合焦用の光束を色分解し、該合焦用の光束が射出されるプリズム面と該合焦用の光束が導光される撮像素子との間に、前記プリズム面から前記撮像素子に至る光路長を複数異ならせて該撮像素子上に像を形成する光学手段が設けられていることを特徴とする色分解光学系。
【請求項７】
カメラ本体の一部に、入射光束を波長帯域の異なる複数の光束に色分解して射出する複数のプリズムを有する色分解光学系を設けた撮像装置において、
該複数のプリズムのうちいずれか１つのプリズムは光路中に合焦用の光束を分割するための光分割面を有し、
該合焦用の光束が射出されるプリズム面と該合焦用の光束が導光される撮像素子との間に、前記光分割面から前記撮像素子に至る光路長を複数異ならせて該撮像素子上に像を形成する光学手段が設けられていることを特徴とする撮像装置。
【請求項８】
前記光学手段は前記合焦用の光束を分割する複数の光分割面を有し、該光分割面により分割された合焦用の各光束間で前記光路長を互いに異ならせることを特徴とする請求項７に記載の撮像装置。
【請求項９】
前記光学手段は、互いに光路長が異なる複数の光学部材と、該複数の光学部材のうちいずれか１つを光路中に位置させる駆動部とを有していることを特徴とする請求項７に記載の撮像装置。
【請求項１０】
カメラ本体の一部に、入射光束を波長帯域の異なる複数の光束に色分解して射出する複数のプリズムを有する色分解光学系を設けた撮像装置において、
該複数のプリズムのうちいずれか１つのプリズムは光路中に合焦用の光束を分割するための光分割面を有し、
該光分割面から前記合焦用の光束が導光される合焦用撮像素子に至る光路長と、該光分割面で分割された他方の光束が導光される撮像素子に至る光路長が互いに異なるように前記合焦用撮像素子は配置されていることを特徴とする撮像装置。
【請求項１１】
前記合焦用の光束は、緑色光を含む可視波長域の光束であることを特徴とする請求項７乃至１０のいずれか１項に記載の撮像装置。
【請求項１２】
前記合焦用の光束は、可視光以外の波長帯域を有する光束であることを特徴とする請求項７乃至１０のいずれか１項に記載の撮像装置。
【請求項１３】
カメラ本体の一部に、入射光束を波長帯域の異なる複数の光束に色分解して射出する複数のプリズムを有する色分解光学系を設けた撮像装置において、
該色分解光学系は可視光以外の波長帯域を有する合焦用の光束を色分解し、
該合焦用の光束が射出されるプリズム面と該合焦用の光束が導光される撮像素子との間に、前記プリズム面から前記撮像素子に至る光路長を複数異ならせて該撮像素子上に像を形成する光学手段が設けられていることを特徴とする撮像装置。
【請求項１４】
前記撮像素子の出力信号からカメラ本体に装着する撮像レンズの合焦位置を判断する合焦位置制御回路と、
該合焦位置制御回路からの合焦信号に基づいて該撮像レンズの合焦レンズを駆動する合焦レンズ駆動手段とを有することを特徴とする請求項７乃至１３のいずれか１項に記載の撮像装置。
【請求項１５】
前記撮像素子の出力信号からカメラ本体に装着する撮像レンズの合焦位置を判断する合焦位置制御回路と、
前記合焦用の光束と緑色光との間の撮影レンズによる軸上色収差データが記憶され、該軸上色収差データに基づいて該合焦位置制御回路からの合焦信号を補正する演算回路と、
該補正された合焦信号に基づいて該撮像レンズの合焦レンズを駆動する合焦レンズ駆動手段とを有することを特徴とする請求項７乃至１３のいずれか１項に記載の撮像装置。
【請求項１６】
前記撮像素子の出力信号からカメラ本体に装着する撮像レンズの合焦位置を判断する合焦位置制御回路と、
前記合焦用の光束と輝度光との間の撮影レンズによる軸上色収差データが記憶され、該軸上色収差データに基づいて該合焦位置制御回路からの合焦信号を補正する演算回路と、
該補正された合焦信号に基づいて該撮像レンズの合焦レンズを駆動する合焦レンズ駆動手段とを有することを特徴とする請求項７乃至１３のいずれか１項に記載の撮像装置。
【手続補正２】
【補正対象書類名】明細書
【補正対象項目名】０００１
【補正方法】変更
【補正の内容】
【０００１】
【発明の属する技術分野】
本発明は色分解光学系及びそれを用いた撮像装置に関し、例えば入射光束を赤色光、緑色光、青色光の３つの色光に色分解して射出させる、所謂３Ｐプリズム等の色分解光学系と該色分解光学系を介した光束を用いて撮影レンズの合焦信号を得る自動焦点検出手段とを設けたテレビカメラやビデオカメラ等に好適なものである。
【手続補正３】
【補正対象書類名】明細書
【補正対象項目名】００１１
【補正方法】変更
【補正の内容】
【００１１】
【課題を解決するための手段】
請求項１の発明の色分解光学系は、入射光束を波長帯域の異なる複数の光束に色分解して射出する複数のプリズムを有する色分解光学系であって、
該複数のプリズムのうちいずれか１つのプリズムは光路中に合焦用の光束を分割するための光分割面を有し、
該合焦用の光束が射出されるプリズム面と該合焦用の光束が導光される撮像素子との間に、前記光分割面から前記撮像素子に至る光路長を複数異ならせて該撮像素子上に像を形成する光学手段が設けられていることを特徴としている。
【手続補正４】
【補正対象書類名】明細書
【補正対象項目名】００１２
【補正方法】変更
【補正の内容】
【００１２】
請求項２の発明は請求項１の発明において、前記光学手段は前記合焦用の光束を分割する複数の光分割面を有し、該光分割面により分割された合焦用の各光束間で前記光路長を互いに異ならせることを特徴としている。
請求項３の発明は請求項１の発明において、前記光学手段は、互いに光路長が異なる複数の光学部材と、該複数の光学部材のうちいずれか１つを光路中に位置させる駆動部とを有していることを特徴としている。
請求項４の発明は請求項１乃至３のいずれか１項の発明において、前記合焦用の光束は、緑色光を含む可視波長域の光束であることを特徴としている。
請求項５の発明は請求項１乃至３のいずれか１項の発明において、前記合焦用の光束は、可視光以外の波長帯域を有する光束であることを特徴としている。
【手続補正５】
【補正対象書類名】明細書
【補正対象項目名】００１３
【補正方法】変更
【補正の内容】
【００１３】
請求項６の発明の色分解光学系は、入射光束を波長帯域の異なる複数の光束に色分解して射出する複数のプリズムを有する色分解光学系であって、
該色分解光学系は可視光以外の波長帯域を有する合焦用の光束を色分解し、該合焦用の光束が射出されるプリズム面と該合焦用の光束が導光される撮像素子との間に、前記プリズム面から前記撮像素子に至る光路長を複数異ならせて該撮像素子上に像を形成する光学手段が設けられていることを特徴としている。
【手続補正６】
【補正対象書類名】明細書
【補正対象項目名】００１４
【補正方法】変更
【補正の内容】
【００１４】
請求項７の発明の撮像装置は、カメラ本体の一部に、入射光束を波長帯域の異なる複数の光束に色分解して射出する複数のプリズムを有する色分解光学系を設けた撮像装置において、
該複数のプリズムのうちいずれか１つのプリズムは光路中に合焦用の光束を分割するための光分割面を有し、
該合焦用の光束が射出されるプリズム面と該合焦用の光束が導光される撮像素子との間に、前記光分割面から前記撮像素子に至る光路長を複数異ならせて該撮像素子上に像を形成する光学手段が設けられていることを特徴としている。
【手続補正７】
【補正対象書類名】明細書
【補正対象項目名】００１５
【補正方法】変更
【補正の内容】
【００１５】
請求項８の発明は請求項７の発明において、前記光学手段は前記合焦用の光束を分割する複数の光分割面を有し、該光分割面により分割された合焦用の各光束間で前記光路長を互いに異ならせることを特徴としている。
請求項９の発明は請求項７の発明において、前記光学手段は、互いに光路長が異なる複数の光学部材と、該複数の光学部材のうちいずれか１つを光路中に位置させる駆動部とを有していることを特徴としている。
【手続補正８】
【補正対象書類名】明細書
【補正対象項目名】００１６
【補正方法】変更
【補正の内容】
【００１６】
請求項１０の発明の撮像装置は、カメラ本体の一部に、入射光束を波長帯域の異なる複数の光束に色分解して射出する複数のプリズムを有する色分解光学系を設けた撮像装置において、
該複数のプリズムのうちいずれか１つのプリズムは光路中に合焦用の光束を分割するための光分割面を有し、
該光分割面から前記合焦用の光束が導光される合焦用撮像素子に至る光路長と、該光分割面で分割された他方の光束が導光される撮像素子に至る光路長が互いに異なるように前記合焦用撮像素子は配置されていることを特徴としている。
【手続補正９】
【補正対象書類名】明細書
【補正対象項目名】００１７
【補正方法】変更
【補正の内容】
【００１７】
請求項１１の発明は請求項７乃至１０のいずれか１項の発明において、前記合焦用の光束は、緑色光を含む可視波長域の光束であることを特徴としている。
請求項１２の発明は請求項７乃至１０のいずれか１項の発明において、前記合焦用の光束は、可視光以外の波長帯域を有する光束であることを特徴としている。
【手続補正１０】
【補正対象書類名】明細書
【補正対象項目名】００１８
【補正方法】変更
【補正の内容】
【００１８】
請求項１３の発明の撮像装置は、カメラ本体の一部に、入射光束を波長帯域の異なる複数の光束に色分解して射出する複数のプリズムを有する色分解光学系を設けた撮像装置において、
該色分解光学系は可視光以外の波長帯域を有する合焦用の光束を色分解し、
該合焦用の光束が射出されるプリズム面と該合焦用の光束が導光される撮像素子との間に、前記プリズム面から前記撮像素子に至る光路長を複数異ならせて該撮像素子上に像を形成する光学手段が設けられていることを特徴としている。
【手続補正１１】
【補正対象書類名】明細書
【補正対象項目名】００１９
【補正方法】変更
【補正の内容】
【００１９】
請求項１４の発明は請求項７乃至１３のいずれか１項の発明において、前記撮像素子の出力信号からカメラ本体に装着する撮像レンズの合焦位置を判断する合焦位置制御回路と、
該合焦位置制御回路からの合焦信号に基づいて該撮像レンズの合焦レンズを駆動する合焦レンズ駆動手段とを有することを特徴としている。
請求項１５の発明は請求項７乃至１３のいずれか１項の発明において、前記撮像素子の出力信号からカメラ本体に装着する撮像レンズの合焦位置を判断する合焦位置制御回路と、
前記合焦用の光束と緑色光との間の撮影レンズによる軸上色収差データが記憶され、該軸上色収差データに基づいて該合焦位置制御回路からの合焦信号を補正する演算回路と、
該補正された合焦信号に基づいて該撮像レンズの合焦レンズを駆動する合焦レンズ駆動手段とを有することを特徴としている。
請求項１６の発明は請求項７乃至１３のいずれか１項の発明において、前記撮像素子の出力信号からカメラ本体に装着する撮像レンズの合焦位置を判断する合焦位置制御回路と、
前記合焦用の光束と輝度光との間の撮影レンズによる軸上色収差データが記憶され、該軸上色収差データに基づいて該合焦位置制御回路からの合焦信号を補正する演算回路と、
該補正された合焦信号に基づいて該撮像レンズの合焦レンズを駆動する合焦レンズ駆動手段とを有することを特徴としている。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２４
【補正方法】変更
【補正の内容】
【００２４】
２０１は青色分解プリズム（第１のプリズム）である。青色分解プリズム２０１の一部の面２１２には青色反射ダイクロイック膜Ｂを設けており、青色成分の光束（青色光）を反射させて、面２１１で全反射させて射出面（主射出面）２１３より射出させている。２０２は赤色分解プリズム（第２のプリズム）であり、その一部の面２１５には赤色反射ダイクロイック膜Ｒを設けている。